(57)【要約】【課題】機密漏洩を確実に防止可能な画像形成装置を提供する。【解決手段】上位装置と通信可能であり、内部に滞留した媒体の除去のために装置本体に設けられる開口部と、該開口部を開閉するための開閉蓋とを有する画像形成装置に、上位装置から原稿の画像データを含む印刷データを受信する受信部と、印刷データを解析して、原稿が機密文書であるか否かを判断する解析判断部と、機密文書であると判断されると、開閉蓋を閉状態に保持する保持部とを設ける。【選択図】        図１
2010030252.tif 000002
【特許請求の範囲】
【請求項１】
上位装置と通信可能であり、内部に滞留した媒体の除去のために装置本体に設けられる開口部と、該開口部を開閉するための開閉蓋とを有する画像形成装置であって、
前記上位装置から、原稿の画像データを含む印刷データを受信する受信部と、
前記印刷データを解析して、前記原稿が機密文書であるか否かを判断する解析判断部と、
機密文書であると判断されると、前記開閉蓋を閉状態に保持する保持部と、
を備えることを特徴とする画像形成装置。
【請求項２】
前記画像データに基づいて、前記原稿の画像を形成する形成部と、
形成された前記画像を前記媒体に転写する転写部と、
転写された前記媒体を排出する排出部と、
前記媒体の排出完了を検知する排出検知部と、
前記排出完了が検知されると、前記開閉蓋を開閉可能とすべく前記保持部による前記保持を解除する解除部と、
を更に備えることを特徴とする請求項１記載の画像形成装置。
【請求項３】
媒体の搬送路上に着脱可能に設置される着脱部材と、
前記解析判断部により機密文書であると判断されると、前記着脱部材の着脱を禁止する禁止部と、
前記画像データに基づいて、前記原稿の画像を形成する形成部と、
形成された前記画像を前記媒体に転写する転写部と、
転写された前記媒体を排出する排出部と、
前記媒体の排出完了を検知する排出検知部と、
前記排出完了が検知されると、前記保持部による前記保持及び前記禁止部による前記禁止を解除する解除部と、
を更に備えることを特徴とする請求項１記載の画像形成装置。
【請求項４】
前記着脱部材は、前記媒体の搬送方向を反転させるための反転経路ユニットからなることを特徴とする請求項３記載の画像形成装置。
【請求項５】
前記解析判断部は、前記印刷データが認証情報を含む場合、前記原稿が機密文書であると判断し、
前記印刷データから前記認証情報を取り出す取出部と、
取り出された前記認証情報を記憶する記憶部と、
認証のための入力情報を入力する入力部と、
入力された前記入力情報と、前記記憶部に記憶されている前記認証情報とを比較して、一致するか否かを判断する比較判断部と、
一致すると判断されると、前記保持部による前記保持を解除する解除部と、
を更に備えることを特徴とする請求項１記載の画像形成装置。
【請求項６】
前記入力部は、認証情報が記憶されている媒体から前記認証情報を読み取る読取部からなり、
前記比較判断部は、前記読取部により読み取られた認証情報と、前記記憶部に記憶されている認証情報とを比較して、一致するか否かを判断する
ことを特徴とする請求項５記載の画像形成装置。
【請求項７】
前記画像データに基づいて、前記原稿の画像を形成する形成部と、
形成された前記画像を前記媒体に転写するための転写部と、
前記媒体の前記転写部への到達を検知する到達検知部と、
を更に備え、
前記到達が検知されると、前記保持部は、前記保持動作を実行する
ことを特徴とする請求項１記載の画像形成装置。
【請求項８】
転写された前記媒体を排出する排出部と、
前記媒体の排出完了を検知する排出検知部と、
前記排出完了が検知されると、前記保持部による前記保持を解除する解除部と、
を更に備えることを特徴とする請求項７記載の画像形成装置。
【請求項９】
媒体の搬送路上に着脱可能に設置される着脱部材と、
前記到達検知部により前記到達が検知されると、前記着脱部材の着脱を禁止する禁止部と、
転写された前記媒体を排出する排出部と、
前記媒体の排出完了を検知する排出検知部と、
前記排出完了が検知されると、前記保持部による前記保持及び前記禁止部による前記禁止を解除する解除部と、
を更に備えることを特徴とする請求項７記載の画像形成装置。
【請求項１０】
前記着脱部材は、前記媒体の搬送方向を反転させるための反転経路ユニットからなることを特徴とする請求項９記載の画像形成装置。
【発明の詳細な説明】
【技術分野】
【０００１】
本発明は、機密文書の印刷データを受信して、印刷を行う画像形成装置に関する。
【背景技術】
【０００２】
近年、複数のユーザにより共有使用されるプリンタ等の画像形成装置が、オフィス環境等に広く普及している。このような画像形成装置は、例えば機密情報を含む機密文書の印刷時に、出力された印刷物が他人の目に触れて、或いは意図的に他人に持ち去られて、機密情報が漏洩する危険性がある。
【０００３】
上記した機密情報の漏洩を回避すべく、下記特許文献１には、出力された印刷物を一時格納するための電子ロック機構付スタッカの技術が開示されている。電子ロック機構付スタッカは、画像形成装置と一体に設置され、ＩＤカードからＩＤデータを読み取る読み取り機と、ＩＤデータの照合処理を行う照合回路とを有する。画像形成装置は、上位装置からＩＤデータが付加された画像データを受信すると、該ＩＤデータを記憶すると共に、電子ロック機構付スタッカのドアをロックさせ、受信した画像データに基づく印刷を行う。そして、利用者が、ＩＤカードを読み取り機にセットすると、読み取り機がＩＤカードからＩＤデータを読み取って、照合回路が読み取られたＩＤデータと記憶されているＩＤデータとの照合処理を行う。そして、照合によって一致した場合にのみ、電子ロック機構付スタッカは、利用者が機密文書の受取権限を有する受取権限者であると認証し、ドアを開錠して、該利用者による印刷物の受け取りを可能とする。
【特許文献１】特開平５−２１３５１９号公報
【発明の開示】
【発明が解決しようとする課題】
【０００４】
ところで、上記した従来の画像形成装置において、機密文書の印刷中に、例えば紙詰まりが発生した場合、利用者は、上部カバーを開けて、装置内部に滞留した印刷用紙を取り除く必要がある。しかしながら、上部カバーを開けた利用者が機密文書の受取権限者と異なる第三者である場合、印刷中の機密文書が該第三者の目に触れてしまう虞があり、機密情報の漏洩を完全に防止することはできなかった。
【０００５】
したがって、機密漏洩を確実に防止可能な画像形成装置が望まれていた。
【課題を解決するための手段】
【０００６】
本発明は、以上の点を解決するために、次の構成を採用する。
【０００７】
〈構成〉
本発明に係る画像形成装置は、上位装置と通信可能であり、内部に滞留した媒体の除去のために装置本体に設けられる開口部と、該開口部を開閉するための開閉蓋とを有し、上位装置から、原稿の画像データを含む印刷データを受信する受信部と、印刷データを解析して、原稿が機密文書であるか否かを判断する解析判断部と、機密文書であると判断されると、開閉蓋を閉状態に保持する保持部とを備えることを特徴とする。
【発明の効果】
【０００８】
本発明の画像形成装置によれば、原稿が機密文書であると判断されると、開閉蓋が閉状態に保持されるので、印刷中の機密文書の参照が防止される。したがって、機密漏洩を確実に防止可能となる。
【発明を実施するための最良の形態】
【０００９】
以下、本発明の実施形態を、図を用いて詳細に説明する。ここでは、本発明をプリンタに適用した場合を例に説明する。
【実施例１】
【００１０】
図２は、本発明に係るプリンタの構成を示す概略側断面図である。
プリンタ１０には、図２に示されるように、電子ロック機構付スタッカ１１が接続されている。
【００１１】
プリンタ１０の下部には、本実施例では、２つの給紙トレイ１２−１及び１２−２が設けられている。各給紙トレイ１２−１及び１２−２には、それぞれ、被印刷物となる媒体としての用紙１３が複数枚収容されている。
【００１２】
また、各給紙トレイ１２−１及び１２−２には、それぞれ、図２に示されるように、ホッピングローラ１４−１及び１４−２が配置される。後述する印刷制御部の制御に基づき、ホッピングローラ１４−１が回転を開始すると、給紙トレイ１２−１内の用紙１３が繰り出されて、搬送部１５へと給紙される。また、ホッピングローラ１４−２が回転を開始すると、給紙トレイ１２−２内の用紙が繰り出されて、搬送部１６へと給紙される。
【００１３】
給紙トレイ１２−１或いは給紙トレイ１２−２から繰り出された用紙１３は、搬送部１５〜１９により、搬送路２０に沿って、プリンタ１０の内部を搬送される。搬送部１５には、用紙１３を搬送するための１対の搬送ローラ２１が、搬送路２０を間に対向して配置されると共に、用紙１３の通過を検出するための通過センサ２２が配設されている。そして、各搬送ローラ２１の回転に伴い、用紙１３は搬送部１６へと搬送される。同様に、搬送部１６は、１対の搬送ローラ２３と通過センサ２４とを備え、用紙１３を搬送部１７へ搬送する。更に、搬送部１７は、１対の搬送ローラ２５と通過センサ２６とを有し、搬送部１７から搬送された用紙１３を、搬送部１８へ給紙する。
【００１４】
搬送部１８には、１対の搬送ローラ２７が、搬送路２０を間に対向して配置されている。搬送部１７から給紙された用紙１３は、各搬送ローラ２７の回転に伴い、更に画像形成部２８へ搬送される。
【００１５】
画像形成部２８は、形成部及び転写部として、感光ドラム２９及び転写ローラ３０を備えている。搬送部１９に配設された到達検知部としての通過センサ３１上を、用紙１３が通過するタイミングに同期して、画像形成部２８において、感光ドラム２９の表面にトナー画像が形成される。そして、用紙１３が感光ドラム２９及び転写ローラ３０間に搬送されると、転写ローラ３０に転写電圧が印加され、感光ドラム２９上のトナー画像が、用紙１３の表面に転写される。
【００１６】
トナー画像が転写された用紙１３は、通過センサ３２を通過して、更に定着器３３へと搬送される。そして、用紙１３の表面に転写されたトナー画像が、定着器３３により加熱及び加圧されて、定着される。その後、搬送部１９に配設された排出ローラ３４により、用紙１３はプリンタ１０から排出され、電子ロック機構付スタッカ１１に格納される。搬送部１９の排出口には、排出検知部としての排出センサ３５が備えられ、用紙１３の排出を監視している。
【００１７】
電子ロック機構付スタッカ１１は、複数のスタッカを有し、プリンタ１０から受け取ったスタッカ指定データ（後述）に基づいて、プリンタ１０から排出された印刷物を、指定されたスタッカに格納する。また、電子ロック機構付スタッカ１１は、各スタッカのドアの施錠機能と、ユーザのＩＤカードからのＩＤデータ読取機能と、読み取ったＩＤデータの照合機能とを備えている。
【００１８】
ところで、プリンタ１０において、搬送路２０に沿って搬送される用紙１３の、各搬送部１５〜１９における搬送状況は、通過センサ２２、２４、２６、３１及び３２と、排出センサ３５とにより監視されている。このプリンタ１０における印刷処理の実行中に、搬送部１８或いは搬送部１９において、用紙ジャムが発生すると、プリンタ１０は、印刷処理を停止すべく、各ローラの回転を停止させる。印刷処理を再開させるためには、上部カバー３６を開けて、プリンタ１０の内部に滞留している用紙１３を除去する必要がある。
【００１９】
上部カバー３６は、開閉蓋として、プリンタ１０の本体筐体部３７に設けられた開口部の上方に配置され、枢支軸３６ａを軸に、矢印Ａ（図２）方向に回動して開閉される。本体筐体部３７には、この上部カバー３６の開閉動作を検知するための図示しない開閉検知部が備えられている。また、上部カバー３６は、上部カバーロック機構３８により、施錠或いは開錠される。
【００２０】
ここで、上部カバーロック機構３８による上部カバー３６の施錠について、図３及び図４を用いて説明する。
図３は、本発明に係るプリンタの部分側断面図であり、図４は、上部カバーの構成を示す説明図である。
なお、図３（ａ）は、上部カバー３６の開錠時に対応し、図３（ｂ）は施錠時に対応している。
【００２１】
上部カバーロック機構３８は、上部カバー３６を電子ロックするために、施錠部材３９と該施錠部材３９を駆動する駆動部４０とを備えている。
【００２２】
駆動部４０は、例えばソレノイド等の電子部品を含んで構成される駆動回路からなり、電磁力により施錠部材３９を駆動する機能を有する。
【００２３】
施錠部材３９は、上部カバー３６の開錠時において、図３（ａ）に示されるように、本体筐体部３７の内部に位置する。この開錠時において、駆動部４０により施錠部材３９が駆動されると、施錠部材３９は、本体筐体部３７から上部カバー３６方向へと突出する。
【００２４】
上部カバー３６には、図４（ａ）及び図４（ｂ）に示されるように、２つの孔部３６ｂが所定の位置に設けられている。駆動部４０が、上記したように、施錠部材３９を本体筐体部３７から上部カバー３６方向へ突出させるべく駆動すると、図３（ｂ）に示されるように、施錠部材３９は、上部カバー３６の孔部３６ｂに貫入して、上部カバー３６と本体筐体部３７とを連結する。この本体筐体部３７との連結状態において、上部カバー３６は開閉不可となり、即ち施錠状態となる。
【００２５】
次に、本実施例のプリンタ１０の機能構成について、説明する。
図１は、本発明の実施例１に係るプリンタの機能構成を示すブロック図である。
【００２６】
本実施例のプリンタ１０は、図１に示されるように、上位装置としてのホスト装置４１と通信可能であり、該ホスト装置４１から印刷データを受信して、印刷処理を実行する。
【００２７】
ホスト装置４１は、本実施例ではユーザに使用されるパーソナルコンピュータからなり、印刷データを生成してプリンタ１０へ送信する機能を有する。
【００２８】
図５は、印刷データの構成を示す説明図である。
図５（ａ）に示される印刷データは、編集データ及びスタッカ指定データを含んで構成される。即ち、ホスト装置４１は、印刷原稿の編集データに、スタッカ指定データを付加して、印刷データを生成する。スタッカ指定データは、電子ロック機構付スタッカ１１が有する複数のスタッカのうち何れかを指定するためのデータであり、電子ロック機構付スタッカ１１は、このスタッカ指定データに基づいて、プリンタ１０から排出された印刷物を、指定されたスタッカに格納する。
【００２９】
また、図５（ｂ）に示される印刷データは、編集データ及びスタッカ指定データに、更に認証情報としてのＩＤデータが付加されている。ホスト装置４１は、印刷原稿が機密情報を含む機密文書である場合、該印刷原稿の編集データに、スタッカ指定データとＩＤデータとを付加して、印刷データを生成する。ホスト装置４１は、ユーザのＩＤカードに記憶されるＩＤデータを読み取って、或いはユーザの入力に基づきＩＤデータを設定して、図５（ｂ）に示されるように、該ＩＤデータを印刷データに付加する。
【００３０】
プリンタ１０は、本発明に係る画像形成装置として、図１に示されるように、受信部４２、データ解析部４３、印刷制御部４４、ＩＤ記憶部４５、ＩＤカード読取機４６、読取バッファ４７、開閉検知部４８、ロック制御部４９及び上部カバーロック機構３８を含んで構成される。
【００３１】
受信部４２は、印刷データ受信機能を有し、ホスト装置４１から印刷データを受信して、データ解析部４３へ送る。
【００３２】
データ解析部４３は、印刷データを解析して印刷用の画像データを生成する機能を有し、図１に示されるように、検索取出部５０及び生成部５１を備えている。
【００３３】
検索取出部５０は、解析判断部及び取出部として、受信部４２から受け取った印刷データに対して、ＩＤデータの検索を行い、該印刷データにＩＤデータが付加されているか否かを判断する。
【００３４】
印刷データにＩＤデータが付加されていない場合（図５（ａ））、検索取出部５０は、該印刷データの原稿が機密文書ではないと判断し、印刷データからスタッカ指定データを取り出して、該スタッカ指定データを電子ロック機構付スタッカ１１へ送出する。
【００３５】
印刷データにＩＤデータが付加されている場合（図５（ｂ））、検索取出部５０は、該印刷データの原稿が機密文書であると判断し、該ＩＤデータを印刷データから取り出して、付加ＩＤデータとして出力し、ＩＤ記憶部４５に記憶させる。また、検索取出部５０は、印刷データからスタッカ指定データを取り出して、該スタッカ指定データとＩＤデータとを、電子ロック機構付スタッカ１１へ送出する。
【００３６】
更に、検索取出部５０は、印刷データから編集データを取り出して、生成部５１へ送る。
【００３７】
生成部５１は、検索取出部５０から受け取った編集データに基づいて、印刷用の画像データを生成し、該画像データを印刷制御部４４へ出力する。
【００３８】
印刷制御部４４は、生成部５１から入力された画像データに基づいて印刷処理を実行すべく、図２に示される各搬送部１５〜１９、画像形成部２８及び定着器３３の制御を行う。
【００３９】
また、印刷制御部４４は、図１に示されるように、完了監視部５２を有する。完了監視部５２は、排出センサ３５（図２）からの検出情報に基づいて、印刷物の排出完了を監視する。そして、印刷物の排出が完了すると、完了監視部５２は、ＩＤ記憶部４５に記憶されている付加ＩＤデータを消去する。
【００４０】
ＩＤ記憶部４５は、例えば記憶回路からなり、記憶部として、検索取出部５０から入力された付加ＩＤデータを記憶する。この付加ＩＤデータは、印刷処理の完了後、印刷制御部４４により消去される。
【００４１】
ＩＤカード読取機４６は、読取部としての機能を有し、図示されない載置部に載置されたユーザのＩＤカード５３から、該ＩＤカード５３に記憶されている認証情報としてのＩＤデータを読み取って、該ＩＤデータを読取ＩＤデータとして読取バッファ４７へ出力する。また、載置部からＩＤカード５３が取り除かれると、読取バッファ４７に記憶されている読取ＩＤデータを消去する。
【００４２】
読取バッファ４７は、ＩＤカード読取機４６から入力された読取ＩＤデータを記憶する記憶部である。
【００４３】
開閉検知部４８は、上部カバー３６の開閉動作を検知して、検知情報をロック制御部４９へ通知する機能を有する。
【００４４】
ロック制御部４９は、図１に示されるように、照合部５４及び信号送出部５５を備え、保持部及び解除部として、上部カバーロック機構３８による上部カバー３６の施錠及び開錠動作を制御する。
【００４５】
照合部５４は、例えば照合回路からなり、比較判断部として、読取ＩＤデータと付加ＩＤデータとの照合を行い、照合結果を信号送出部５５に通知する。
【００４６】
照合部５４は、ＩＤ記憶部４５に付加ＩＤデータが記憶され、読取バッファ４７に読取ＩＤデータが記憶されると、該付加ＩＤデータと読取ＩＤデータとの照合を行い、照合結果を信号送出部５５に通知する。
【００４７】
また、照合部５４は、開閉検知部４８からの検知情報に基づいて、上部カバー３６が開けられた後、閉じられたことを認識すると、読取ＩＤデータと付加ＩＤデータとの照合処理を行う。ＩＤ記憶部４５に付加ＩＤデータが記憶されていない場合、或いは読取バッファ４７に読取ＩＤデータが記憶されていない場合、照合部５４は、付加ＩＤデータ無し或いは読取ＩＤデータ無しを、信号送出部５５に通知する。付加ＩＤデータ及び読取ＩＤデータが記憶されている場合、照合部５４は、これらの照合処理を行って、照合結果を信号送出部５５に通知する。
【００４８】
信号送出部５５は、照合部５４からの照合結果の通知に基づいて、上部カバー３６の開錠を指示するための開錠信号或いは施錠を指示するための施錠信号を、上部カバーロック機構３８へ送出する。
【００４９】
図６は、上部カバーの施錠状態を説明する図である。
図６には、ＩＤ記憶部４５における付加ＩＤデータの記憶の有無と、読取バッファ４７における読取ＩＤデータの記憶の有無と、照合部５４による照合結果とに応じて、信号送出部５５により送出される送出信号の種類と、上部カバー３６の施錠状態とが示されている。
【００５０】
例えば、ＩＤ記憶部４５に付加ＩＤデータが記憶されていない場合、即ち、照合部５４から付加ＩＤデータ無しを通知された場合、信号送出部５５は、読取バッファ４７における読取ＩＤデータの記憶の有無にかかわらず、上部カバー３６を開閉可能とすべく開錠信号を送出する。
【００５１】
また、ＩＤ記憶部４５に付加ＩＤデータが記憶されているが、読取バッファ４７に読取ＩＤデータが記憶されていない場合、即ち、照合部５４から読取ＩＤデータ無しを通知された場合、信号送出部５５は、上部カバー３６を開閉不可とすべく施錠信号を送出する。
【００５２】
更に、ＩＤ記憶部４５に付加ＩＤデータが記憶され且つ読取バッファ４７に読取ＩＤデータが記憶されている場合、信号送出部５５は、照合部５４による照合結果に応じて、施錠信号或いは開錠信号の送出を行う。即ち、信号送出部５５は、付加ＩＤデータ及び読取ＩＤデータが一致しない場合、施錠信号を送出し、一致する場合、開錠信号を送出する。
【００５３】
上部カバーロック機構３８は、図１に示されるように、施錠部材３９及び駆動部４０を有する。
【００５４】
駆動部４０は、ロック制御部４９からの施錠信号に基づいて、施錠部材３９を本体筐体部３７から上部カバー３６方向へ駆動する。施錠部材３９は、図４（ｂ）に示されるように、本体筐体部３７から突出して、上部カバー３６の孔部３６ｂに貫入し、上部カバー３６及び本体筐体部３７を連結させて、上部カバー３６を施錠する。
【００５５】
また、駆動部４０は、ロック制御部４９からの開錠信号に基づいて、施錠部材３９を上部カバー３６から本体筐体部３７方向へ駆動する。施錠部材３９は、図４（ａ）に示されるように、本体筐体部３７に後退して初期位置に戻り、上部カバー３６及び本体筐体部３７の連結状態は解除され、上部カバー３６は開錠される。
【００５６】
次に、本実施例のプリンタ１０の動作について、説明する。
ここでは、ホスト装置４１から印刷データを受信して、印刷を行う流れについて、図７に沿って説明する。
図７は、本発明に係るプリンタの実施例１における印刷動作を示すフローチャートである。
【００５７】
まず、プリンタ１０が、機密情報を含む機密文書を原稿とする印刷データ、即ちＩＤデータが付加されている印刷データを受信して、印刷処理を実行する場合について、説明する。
【００５８】
プリンタ１０における印刷処理の実行に先立ち、ホスト装置４１は、印刷データを生成し、プリンタ１０へ送信する。ホスト装置４１は、図５（ｂ）に示されるように、編集データにスタッカ指定データ及びＩＤデータを付加して、印刷データを生成し、該印刷データをプリンタ１０へ送信する。
【００５９】
プリンタ１０において、受信部４２は、ホスト装置４１から印刷データ（図５（ｂ））を受信する（ステップＳ１０１）と、該印刷データをデータ解析部４３へ送る。
【００６０】
データ解析部４３が受信部４２から印刷データを受け取ると、検索取出部５０が、該印刷データに対してＩＤデータの検索を行い、ＩＤデータが付加されているか否かを判断する（ステップＳ１０２）。
【００６１】
ＩＤデータが付加されていると判断する（ステップＳ１０２）と、検索取出部５０は、該印刷データの原稿が機密文書であると判断する（ステップＳ１０３）。
【００６２】
そして、検索取出部５０は、印刷データからＩＤデータを取り出して、該ＩＤデータを付加ＩＤデータとして出力し、ＩＤ記憶部４５に記憶させる（ステップＳ１０４）。
【００６３】
また、検索取出部５０は、印刷データからスタッカ指定データを取り出して、スタッカ指定データ及びＩＤデータを、電子ロック機構付スタッカ１１へ送出する（ステップＳ１０５）。
【００６４】
更に、検索取出部５０は、印刷データから編集データを取り出して、生成部５１へ送る。
【００６５】
生成部５１は、編集データを受け取ると、該編集データに基づいて印刷用の画像データを生成し、印刷制御部４４へ送る（ステップＳ１０６）。
【００６６】
印刷制御部４４は、画像データを受け取ると、搬送部１５〜１９を制御して、用紙１３の搬送を開始させると共に、画像形成部２８を制御して、所定のタイミングで、画像データに基づく画像の形成を開始させる。そして、各搬送部１５〜１９により搬送された用紙１３に、画像形成部２８により形成された画像が転写され、定着器３３により該画像が定着される。その後、排出ローラ３４の回転により、該用紙１３はプリンタ１０から排出され、電子ロック機構付スタッカ１１に格納される。このように、印刷制御部４４の制御により、画像データに基づく用紙１３への印刷が実行される（ステップＳ１０７）。
【００６７】
完了監視部５２は、排出センサ３５からの検出情報に基づいて、印刷物の排出完了を監視している。そして、全ページ分の印刷及び印刷物の排出が完了する（ステップＳ１０８）と、完了監視部５２は、ＩＤ記憶部４５から対応する付加ＩＤデータを消去する（ステップＳ１０９）。これにより、プリンタ１０における印刷処理が終了する。
【００６８】
上記のように、印刷データにＩＤデータが付加されている場合、原稿が機密文書であると判断され、該ＩＤデータが取り出されて記憶される。また、印刷が完了すると、該ＩＤデータが消去される。
【００６９】
なお、電子ロック機構付スタッカ１１は、データ解析部４３からスタッカ指定データ及びＩＤデータを受け取ると、これらを記憶しておく。そして、プリンタ１０から印刷物が排出されると、記憶されているスタッカ指定データに基づいて、指定されたスタッカに該印刷物を格納する。その際、電子ロック機構付スタッカ１１は、該スタッカのドアを施錠しておく。そして、印刷物を受け取りにきたユーザが、電子ロック機構付スタッカ１１に設置されたＩＤカード読取機に、ＩＤカードを載置すると、電子ロック機構付スタッカ１１は、該ＩＤカードからＩＤデータを読み取って、記憶されているＩＤデータとの照合処理を実施する。そして、一致すると判断すると、電子ロック機構付スタッカ１１は、スタッカのドアを開錠する。
【００７０】
次に、プリンタ１０が、機密文書ではない原稿、即ちＩＤデータが付加されていない印刷データを受信して、印刷処理を実行する場合について、説明する。
【００７１】
プリンタ１０における印刷処理の実行に先立ち、ホスト装置４１は、編集データにスタッカ指定データを付加して、図５（ａ）に示されるように、印刷データを生成し、該印刷データをプリンタ１０へ送信する。
【００７２】
プリンタ１０において、受信部４２は、ホスト装置４１から印刷データ（図５（ａ））を受信する（ステップＳ１０１）と、該印刷データをデータ解析部４３へ送る。
【００７３】
そして、検索取出部５０が、該印刷データに対してＩＤデータの検索を行い、ＩＤデータが付加されていないと判断し（ステップＳ１０２）、該印刷データの原稿が機密文書ではないと判断する（ステップＳ１１０）。
【００７４】
続いて、検索取出部５０は、印刷データからスタッカ指定データを取り出して、該スタッカ指定データを電子ロック機構付スタッカ１１へ送出する（ステップＳ１１１）。また、検索取出部５０は、印刷データから編集データを取り出して、生成部５１へ送る。
【００７５】
生成部５１は、編集データを受け取ると、該編集データに基づいて画像データを生成し、印刷制御部４４へ送る（ステップＳ１１２）。
【００７６】
そして、印刷制御部４４が、画像データに基づく印刷を実行し、印刷物を電子ロック機構付スタッカ１１へ排出する（ステップＳ１１３）。全ページ分の印刷が完了し、印刷物が排出される（ステップＳ１１４）と、プリンタ１０における印刷処理が終了する。
【００７７】
上記のように、印刷データから編集データが取り出され、印刷処理が実行される。
【００７８】
なお、電子ロック機構付スタッカ１１は、データ解析部４３から受け取ったスタッカ指定データに基づいて、プリンタ１０から排出された印刷物を、指定されたスタッカに格納する。その際、電子ロック機構付スタッカ１１は、スタッカ指定データにＩＤデータが付加されていないので、指定されたスタッカのドアの施錠は実施しない。
【００７９】
次に、プリンタ１０における上部カバー３６の施錠制御について、図８及び図９に沿って説明する。
図８は、本発明に係るプリンタの施錠動作を示すフローチャート（その１）であり、図９は、本発明に係るプリンタの施錠動作を示すフローチャート（その２）である。
【００８０】
ここでは、プリンタ１０において、上部カバー３６の開錠時に、ＩＤデータが付加された印刷データ、即ち機密文書の印刷データが受信された後、該印刷データに基づく印刷処理が実行される場合の、ロック制御部４９による施錠制御動作について、説明する。
【００８１】
プリンタ１０において、ＩＤデータが付加された印刷データが受信された後、ＩＤ記憶部４５に付加ＩＤデータが記憶される（ステップＳ２０１）と、ロック制御部４９が、付加ＩＤデータ有りを検知する。そして、照合部５４が、読取バッファ４７における読取ＩＤデータ無しを信号送出部５５に通知すると、信号送出部５５が、施錠信号を上部カバーロック機構３８へ送出する（ステップＳ２０２）。
【００８２】
上部カバーロック機構３８は、施錠信号を受け取ると、駆動部４０が施錠部材３９を上部カバー３６方向へ駆動する。これにより、施錠部材３９は、図３（ｂ）に示されるように、本体筐体部３７から突出して、上部カバー３６の孔部３６ｂに貫入し、上部カバー３６及び本体筐体部３７を連結する。これにより、上部カバー３６は施錠される（ステップＳ２０３）。
【００８３】
上部カバー３６が施錠された状態で、プリンタ１０は、印刷処理を実行する（図７）。そして、全ての印刷物の排出が完了すると、印刷制御部４４がＩＤ記憶部４５から付加ＩＤデータを消去する（ステップＳ２０４）。
【００８４】
付加ＩＤデータが消去される（ステップＳ２０４）と、ロック制御部４９において、照合部５４から信号送出部５５へ、付加ＩＤデータ無しが通知される。この通知に基づき、信号送出部５５は、開錠信号を上部カバーロック機構３８へ送出する（ステップＳ２０５）。
【００８５】
上部カバーロック機構３８は、開錠信号を受け取ると、駆動部４０が施錠部材３９を本体筐体部３７方向へ駆動する。この駆動に基づき、施錠部材３９は、図３（ａ）に示されるように、本体筐体部３７の内部へ後退して、上部カバー３６及び本体筐体部３７の連結が解除される。これにより、上部カバー３６は開錠され（ステップＳ２０６）、プリンタ１０における施錠及び開錠処理が終了する。
【００８６】
上記のように、プリンタ１０における機密文書の印刷データの解析及び印刷実行中において、上部カバー３６は施錠される。そして、機密文書のプリンタ１０からの排出が完了すると、上部カバー３６は開錠される。
【００８７】
次に、プリンタ１０において、機密文書の印刷実行中に、搬送部１８或いは搬送部１９（図２）において、用紙ジャムが発生した場合の施錠及び開錠処理について、説明する。
【００８８】
機密文書の印刷実行中において、プリンタ１０の上部カバー３６は、上記したように、上部カバーロック機構３８により施錠されている（ステップＳ２０３）。この上部カバー３６の施錠時に、搬送部１８或いは搬送部１９において、用紙ジャムが発生した場合、印刷制御部４４は、各ローラの回転を停止させ、実行中の印刷処理を停止する。停止された機密文書の印刷処理を再開させるためには、ユーザは、上部カバー３６を開けて、搬送部１８或いは搬送部１９に滞留している用紙１３を除去する必要がある。
【００８９】
ユーザは、上部カバー３６を開けるために、まず、ＩＤカード５３をＩＤカード読取機４６の載置部に載置する。
【００９０】
ＩＤカード読取機４６は、ＩＤカード５３の載置を検知すると、ＩＤカード５３からＩＤデータを読み取って、該ＩＤデータを読取ＩＤデータとして読取バッファ４７に記憶させる（ステップＳ２０７）。
【００９１】
ロック制御部４９の照合部５４は、読取バッファ４７に読取ＩＤデータが記憶される（ステップＳ２０７）と、該読取ＩＤデータを読み出すと共に、ＩＤ記憶部４５から付加ＩＤデータを読み出して、付加ＩＤデータ及び読取ＩＤデータを照合し（ステップＳ２０８）、照合結果を信号送出部５５に通知する。
【００９２】
付加ＩＤデータ及び読取ＩＤデータが一致する（ステップＳ２０９）場合、信号送出部５５は、該照合結果に基づいて、開錠信号を送出する（ステップＳ２１０）。
【００９３】
上部カバーロック機構３８は、開錠信号を受け取ると、駆動部４０が施錠部材３９を本体筐体部３７方向へ駆動して、上部カバー３６を開錠する（ステップＳ２１１）。これにより、上部カバー３６は開閉可能となる（図３（ａ））。
【００９４】
上部カバー３６の開錠後、ユーザが上部カバー３６を開けて、プリンタ１０の内部に滞留している用紙１３を除去した後、上部カバー３６を閉じると、開閉検知部４８が上部カバー３６の開閉を検知して、ロック制御部４９に通知する（ステップＳ２１２）。
【００９５】
この検知情報に基づき、ロック制御部４９は、読取バッファ４７における読取ＩＤデータの有無を判断する（ステップＳ２１３）。
【００９６】
ＩＤカード読取機４６にＩＤカード５３が載置されている場合、読取バッファ４７には読取ＩＤデータが記憶されている（ステップＳ２１３）。この場合、ロック制御部４９において、照合部５４が、該読取ＩＤデータを読み出すと共に、ＩＤ記憶部４５から付加ＩＤデータを読み出し、これらの照合を行う（ステップＳ２０８）。そして、付加ＩＤデータ及び読取ＩＤデータが一致する場合（ステップＳ２０９）、信号送出部５５は開錠信号を送出し（ステップＳ２１０）、上部カバー３６は開錠状態を保持され（ステップＳ２１１）、印刷処理を再開する。
【００９７】
ＩＤカード読取機４６からＩＤカード５３が取り除かれると、読取バッファ４７から読取ＩＤデータは消去される（ステップＳ２１３）。この場合、ロック制御部４９の照合部５４は、読取ＩＤデータ無しを信号送出部５５に通知する。そして、信号送出部５５は、上部カバー３６を再度施錠すべく、施錠信号を送出する（ステップＳ２１４）。施錠信号を受け取った上部カバーロック機構３８により、上部カバー３６が再度施錠され（ステップＳ２１５）、プリンタ１０は、印刷処理を再開する。
【００９８】
印刷処理が完了し、印刷制御部４４がＩＤ記憶部４５から付加ＩＤデータを消去する（ステップＳ２０４）と、ロック制御部４９において、照合部５４から付加ＩＤデータ無しを通知された信号送出部５５が、開錠信号を送出する（ステップＳ２０５）。そして、上部カバーロック機構３８により上部カバー３６が開錠され（ステップＳ２０６）、プリンタ１０における施錠及び開錠処理が終了する。
【００９９】
上記のように、機密文書の印刷実行中に、ユーザのＩＤカード５３がＩＤカード読取機４６に載置されると、上部カバー３６が開錠され、上部カバー３６の開閉が可能となる。
【０１００】
なお、ステップＳ２０９において、付加ＩＤデータ及び読取ＩＤデータが一致しない場合、ロック制御部４９は、ＩＤカードを載置したユーザが、機密文書の受取権限を有するユーザではないと判断し、上部カバー３６の施錠状態を保持すべく信号送出部５５により施錠信号を送出する（ステップＳ２１４）。そして、上部カバーロック機構３８は、上部カバー３６が施錠されている場合、該施錠状態を保持し、開錠されている場合、施錠部材３９により上部カバー３６を施錠する（ステップＳ２１５）。
【０１０１】
以上のように、本実施例のプリンタ１０は、ＩＤデータが付加された印刷データを受信すると、該印刷データの原稿が機密文書であると判断し、印刷物の排出が完了するまで、上部カバー３６を施錠して、他のユーザによる上部カバー３６の開放を禁止する。したがって、用紙ジャムが発生した場合も、プリンタ１０の内部に滞留した印刷物の他のユーザによる除去が不可となるので、印刷中の機密文書が他のユーザに参照されることを確実に防止できる。
【０１０２】
なお、本実施例では、機密文書の印刷中における上部カバーの開錠は、該機密文書の受取権限を持つユーザに限定されたが、更に、管理者による管理用ＩＤデータの入力により開錠を可能としても良い。
【０１０３】
また、本実施例では、ＩＤデータはＩＤカードから読み取って入力されたが、本発明はこれに限定されない。例えば、オペレータパネルを付設して、該オペレータパネルを介してパスワードや暗証番号等のＩＤデータを入力する構成をとることも可能である。
【０１０４】
また、本実施例では、上部カバーの開閉を不可とすべく上部カバーの施錠制御が実施されるが、本発明はこれに限定されない。例えば、プリンタ本体の側面に設けられた側面カバーの開閉を不可とする施錠制御や、両面印刷用の反転経路ユニットの着脱を禁止する着脱部材の着脱禁止制御等の実施も可能である。
【０１０５】
更に、本実施例では、電子ロック機構付スタッカは、プリンタとは個別の装置として説明されたが、プリンタにスタッカを内蔵する構成をとることも可能である。この場合、ＩＤカード読取機や照合部を個別に設ける必要がなくなるので、装置の小型化及び低コスト化が可能となる。
【実施例２】
【０１０６】
図１０は、本発明の実施例２に係るプリンタの機能構成を示すブロック図である。
本実施例のプリンタ６０は、付加ＩＤデータを一時的に記憶するための一時記憶部６１と、搬送部１９における用紙１３の有無を監視するための有無監視部６２とを追加する構成が、実施例１とは異なる。
なお、本実施例において、実施例１と同一の構成については同一の符号で示し、これらについての詳しい説明を省略する。
【０１０７】
本実施例のプリンタ６０は、図１０に示されるように、ホスト装置４１と通信可能であり、該ホスト装置４１から印刷データを受信して印刷処理を実行し、印刷物を電子ロック機構付スタッカ１１に排出して格納させる。
【０１０８】
プリンタ６０は、本発明に係る画像形成装置として、図１０に示されるように、受信部４２、データ解析部６３、一時記憶部６１、印刷制御部６５、ＩＤ記憶部４５、ＩＤカード読取機４６、読取バッファ４７、開閉検知部４８、ロック制御部４９及び上部カバーロック機構３８を含んで構成される。
【０１０９】
データ解析部６３は、図１０に示されるように、検索取出部６４及び生成部５１を備えている。
【０１１０】
検索取出部６４は、解析判断部及び取出部として、受信部４２から受け取った印刷データに対して、ＩＤデータの検索を行い、ＩＤデータが付加されているか否かに基づいて、該印刷データの原稿が機密文書であるか否かを判断する。
【０１１１】
印刷データにＩＤデータが付加されている場合、検索取出部６４は、原稿が機密文書であると判断し、該印刷データからＩＤデータを取り出して、付加ＩＤデータとして出力し、一時記憶部６１に記憶させる。また、検索取出部６４は、印刷データからスタッカ指定データを取り出して、スタッカ指定データ及びＩＤデータを電子ロック機構付スタッカ１１へ送出する。更に、検索取出部６４は、印刷データから編集データを取り出して、生成部５１へ送る。
【０１１２】
印刷データにＩＤデータが付加されていない場合、検索取出部６４は、原稿が機密文書ではないと判断し、印刷データからスタッカ指定データを取り出して、電子ロック機構付スタッカ１１へ送出すると共に、編集データを取り出して、生成部５１へ送る。
【０１１３】
一時記憶部６１は、例えば揮発性メモリからなり、データ解析部６３により入力された付加ＩＤデータを、一時的に記憶する。一時記憶部６１に記憶された付加ＩＤデータは、印刷物の排出が完了すると、印刷制御部６５により消去される。
【０１１４】
印刷制御部６５は、生成部５１から入力された画像データに基づいて印刷処理を実行すべく、図２に示される各搬送部１５〜１９、画像形成部２８及び定着器３３の制御を行う。
【０１１５】
また、印刷制御部６５は、図１０に示されるように、有無監視部６２及び完了監視部６６を有する。
【０１１６】
有無監視部６２は、図２に示される搬送部１９における用紙１３の有無を監視する。ここで、他の搬送部１５〜１８と区別するため、以下、搬送部１９を主搬送部と記す。
【０１１７】
有無監視部６２は、搬送部１９、即ち主搬送部に配置された通過センサ３１及び３２と、排出センサ３５とからの検出情報に基づいて、主搬送部における用紙１３の有無を監視する。何れかのセンサがＯＮとなっている場合、有無監視部６２は、主搬送部内に用紙１３が存在すると判断する。そして、有無監視部６２は、一時記憶部６１に付加ＩＤデータが記憶されている場合、該付加ＩＤデータを読み出して出力し、ＩＤ記憶部４５に記憶させる。
【０１１８】
通過センサ３１、３２と、排出センサ３５とが、何れもＯＦＦとなっている場合、有無監視部６２は、主搬送部内に用紙１３が存在しないと判断する。そして、有無監視部６２は、ＩＤ記憶部４５に付加ＩＤデータが記憶されている場合、該付加ＩＤデータを消去する。
【０１１９】
完了監視部６６は、排出センサ３５からの検出情報に基づいて、印刷物の排出完了を監視し、排出が完了すると、一時記憶部６１に記憶されている付加ＩＤデータを消去する。
【０１２０】
次に、本実施例のプリンタ６０の動作について、説明する。
ここでは、ホスト装置４１から印刷データを受信して、印刷を行う流れについて、図１１及び図１２に沿って説明する。
図１１は、本発明に係るプリンタの実施例２における印刷動作を示すフローチャート（その１）であり、図１２は、本発明に係るプリンタの実施例２における印刷動作を示すフローチャート（その２）である。
【０１２１】
まず、プリンタ６０が、機密文書の印刷データを受信して、印刷処理を実行する場合について、説明する。
【０１２２】
プリンタ１０において、受信部４２が、ホスト装置４１から印刷データ（図５（ｂ））を受信する（ステップＳ１０１）と、該印刷データはデータ解析部６３へ送られる。
【０１２３】
データ解析部６３が印刷データを受け取ると、検索取出部６４が、該印刷データに対してＩＤデータの検索を行い、ＩＤデータが付加されている（ステップＳ１０２）、即ち該印刷データの原稿が機密文書であると判断する（ステップＳ１０３）。
【０１２４】
続いて、検索取出部６４は、印刷データからＩＤデータを取り出して、該ＩＤデータを付加ＩＤデータとして一時記憶部６１に記憶させる（ステップＳ３０１）。また、検索取出部６４は、印刷データからスタッカ指定データを取り出して、スタッカ指定データ及びＩＤデータを電子ロック機構付スタッカへ送出する（ステップＳ１０５）。更に、検索取出部６４は、印刷データから編集データを取り出して、生成部５１へ送る。
【０１２５】
そして、生成部５１が、編集データに基づいて印刷用の画像データを生成し、印刷制御部６５へ送る（ステップＳ１０６）。
【０１２６】
印刷制御部６５は、画像データを受け取ると、搬送部１５〜１９を制御して、用紙１３を搬送させる共に、画像形成部２８による画像データに基づく画像の形成を開始させる（ステップＳ３０２）。
【０１２７】
用紙１３の搬送に伴い、有無監視部６２は、通過センサ３１及び３２と、排出センサ３５とからの検出情報に基づいて、搬送部１９、即ち主搬送部における用紙１３の有無を監視する。そして、何れかのセンサがＯＮとなると、有無監視部６２は、主搬送部に用紙１３が存在すると判断する（ステップＳ３０３）。
【０１２８】
続いて、有無監視部６２は、一時記憶部６１における付加ＩＤデータの記憶の有無を判断する（ステップＳ３０４）。機密文書の印刷実行時において、一時記憶部６１には付加ＩＤデータが記憶されているので、有無監視部６２は、付加ＩＤデータが有ると判断する（ステップＳ３０４）。
【０１２９】
次に、有無監視部６２は、一時記憶部６１から付加ＩＤデータを読み出して、該付加ＩＤデータをＩＤ記憶部４５に記憶させる（ステップＳ３０５）。
【０１３０】
印刷制御部６５は、印刷処理を継続し、画像形成部２８内に搬送された用紙１３に画像を転写し、定着器３３により該画像を定着させた後、排出ローラ３４により該用紙１３を排出して、電子ロック機構付スタッカ１１に格納させる（ステップＳ３０６）。
【０１３１】
有無監視部６２は、主搬送部における用紙１３の有無の監視を継続し、通過センサ３１、３２及び排出センサ３５の全てのセンサがＯＦＦとなると、主搬送部内に用紙１３が存在しないと判断する（ステップＳ３０７）。
【０１３２】
また、完了監視部６６は、排出センサ３５からの検出情報に基づいて、全ページ分の印刷物の排出が完了したか否かを監視している。完了監視部６６は、全ページ分の印刷物の排出が完了したと判断する（ステップＳ３０８）と、ＩＤ記憶部４５に記憶されている付加ＩＤデータを消去する（ステップＳ３０９）。また、有無監視部６２は、一時記憶部６１に記憶されている付加ＩＤデータを消去する（ステップＳ３０９）。これにより、プリンタ１０における印刷処理が終了する。
【０１３３】
上記のように、プリンタ１０における機密文書の印刷に際して、主搬送部内における用紙１３の搬送中にのみ、ＩＤ記憶部４５に付加ＩＤデータが記憶される。
【０１３４】
なお、有無監視部６２により、主搬送部内に用紙１３が存在しないと判断され（ステップＳ３０７）、且つ、完了監視部６６により、全ページ分の印刷物の排出が完了していないと判断された（ステップＳ３０８）場合、有無監視部６２は、ＩＤ記憶部４５に記憶されている付加ＩＤデータを消去する（ステップＳ３１０）。また、印刷制御部６５は、画像データに基づく印刷処理を継続する（ステップＳ３１１）。有無監視部６２は、引き続き、主搬送部内の用紙の有無を監視し（ステップＳ３０３）、用紙１３が主搬送部内に搬送されると、再度、ＩＤ記憶部４５に付加ＩＤデータを記憶させる（ステップＳ３０５）。
【０１３５】
次に、プリンタ６０が機密文書ではない原稿の印刷データを受信して、印刷処理を実行する場合について、説明する。
【０１３６】
プリンタ６０において、受信部４２が、ホスト装置４１から印刷データ（図５（ａ））を受信する（ステップＳ１０１）と、該印刷データはデータ解析部６３へ送られる。
【０１３７】
そして、検索取出部６４が、該印刷データに対してＩＤデータの検索を行い、ＩＤデータが付加されていない（ステップＳ１０２）、即ち該印刷データの原稿が機密文書ではないと判断する（ステップＳ１１０）。
【０１３８】
続いて、検索取出部５０は、印刷データからスタッカ指定データを取り出して、電子ロック機構付スタッカ１１へ送出する（ステップＳ１１１）。また、検索取出部５０は、印刷データから編集データを取り出して、生成部５１へ送る。
【０１３９】
生成部５１は、編集データを受け取ると、該編集データに基づいて画像データを生成し、印刷制御部６５へ送る（ステップＳ１０５）。
【０１４０】
そして、印刷制御部６５により、画像データに基づく印刷が開始される（ステップＳ３０２）。有無監視部６２は、主搬送部内に用紙１３が搬送される（ステップＳ３０３）と、一時記憶部６１に付加ＩＤデータが記憶されていないと判断し（ステップＳ３０４）、印刷制御部６５は、印刷を継続する（ステップＳ３０６）。そして、全ページ分の印刷物の排出が完了すると（ステップＳ３０８）、プリンタ６０における印刷処理は終了する。
【０１４１】
上記のように、印刷データから編集データが取り出され、印刷処理が実行される。
【０１４２】
プリンタ６０における上部カバー３６の施錠制御は、実施例１（図８及び図９）と同一であるので、説明を省略する。
【０１４３】
以上のように、本実施例のプリンタ６０は、機密文書の印刷中においても、主搬送部内における用紙の搬送中にのみ、ＩＤ記憶部４５に付加ＩＤデータを記憶させて、上部カバー３６を施錠し、主搬送部内に用紙が無い場合、ＩＤ記憶部４５から付加ＩＤデータを消去して、上部カバー３６を開錠するので、用紙ジャムが発生した場合も、該用紙への画像の転写前であれば、他のユーザによる上部カバー３６の開放が可能となる。したがって、印刷中の機密文書が他のユーザに参照されることを確実に防止しつつ、障害復旧率の向上が可能となる。
【０１４４】
なお、本実施例では、ＩＤデータが付加された印刷データの受信時に、該ＩＤデータを一時記憶部に記憶させ、主搬送部内に用紙が搬送されると、該ＩＤデータを読み出して、ＩＤ記憶部に記憶させる構成が適用されたが、本発明はこれに限定されない。印刷データの受信時に、ＩＤデータをＩＤ記憶部に記憶させておき、主搬送部内における用紙の有無を、印刷制御部からロック制御部に通知する構成をとることも可能である。
【産業上の利用可能性】
【０１４５】
上記した各実施例では、本発明に係る画像形成装置として、プリンタを例に説明を行ったが、本発明は、ＭＦＰ等の画像形成機能を有する多機能複合機にも適用可能である。
【図面の簡単な説明】
【０１４６】
【図１】本発明の実施例１に係るプリンタの機能構成を示すブロック図である。
【図２】本発明に係るプリンタの構成を示す概略側断面図である。
【図３】本発明に係るプリンタの部分側断面図である。
【図４】上部カバーの構成を示す説明図である。
【図５】印刷データの構成を示す説明図である。
【図６】上部カバーの施錠状態を説明する図である。
【図７】本発明に係るプリンタの実施例１における印刷動作を示すフローチャートである。
【図８】本発明に係るプリンタの施錠動作を示すフローチャート（その１）である。
【図９】本発明に係るプリンタの施錠動作を示すフローチャート（その２）である。
【図１０】本発明の実施例２に係るプリンタの機能構成を示すブロック図である。
【図１１】本発明に係るプリンタの実施例２における印刷動作を示すフローチャート（その１）である。
【図１２】本発明に係るプリンタの実施例２における印刷動作を示すフローチャート（その２）である。
【符号の説明】
【０１４７】
１０、６０  プリンタ
１１  電子ロック機構付スタッカ
１５、１６、１７、１８、１９  搬送部
２２、２４、２６、３１、３２  通過センサ
３５  排出センサ
３６  上部カバー
３７  本体筐体部
３８  上部カバーロック機構
３９  施錠部材
４０  駆動部
４１  ホスト装置
４２  受信部
４３、６３  データ解析部
４４、６５  印刷制御部
４５  ＩＤ記憶部
４６  ＩＤカード読取機
４７  読取バッファ
４８  開閉検知部
４９  ロック制御部
５０、６４  検索取出部
５１  生成部
５２、６６  完了監視部
５４  照合部
５５  信号送出部
６１  一時記憶部
６２  有無監視部
【図１】
2010030252.tif 000003
【図２】
2010030252.tif 000004
【図３】
2010030252.tif 000005
【図４】
2010030252.tif 000006
【図５】
2010030252.tif 000007
【図６】
2010030252.tif 000008
【図７】
2010030252.tif 000009
【図８】
2010030252.tif 000010
【図９】
2010030252.tif 000011
【図１０】
2010030252.tif 000012
【図１１】
2010030252.tif 000013
【図１２】
2010030252.tif 000014